(57)【要約】【課題】製造コストを低下させ、歩留率を向上させる偏光板構造を提供する。【解決手段】透明基板２、タッチセンサー３、偏光板４および第１の絶縁フィルム５からなり、透明基板２は、タッチ操作を行う第１の面２１の反対側の第２の面２２にタッチセンサー３を配置し、偏光板４は、タッチセンサー３に対して間に第１の絶縁フィルム５を介して第３の面４１が接し、その反対側にある第４の面４２に接して図示しない液晶ディスプレイが配置される。  このように、タッチセンサー３を有する偏光板４が液晶ディスプレイ上に設けられた構造により、液晶ディスプレイに対してタッチ入力および操作機能行う。【選択図】図２
0003182477.tif 000002
【実用新案登録請求の範囲】
【請求項１】
タッチ操作を行う第１の面、および該第１の面の反対側の第２の面を有する透明基板と、
前記透明基板の上記第２の面に配置されたタッチセンサーと、
上記タッチセンサーに相対する側を第３の面とし、その反対側を液晶ディスプレイに相対する第４の面とする偏光板と、
前記タッチセンサーと前記偏光板との間に配置された第１の絶縁フィルムと、から構成されることを特徴とする偏光板構造。
【請求項２】
前記偏光板構造は、前記偏光板の前記第４の面に貼り合わされた液晶ディスプレイ上に設けられていることを特徴とする請求項１に記載の偏光板構造。
【請求項３】
前記液晶ディスプレイは、前記偏光板の第４の面に貼り合わされた第１の基板、これと相対する第２の基板および液晶層を有し、
該液晶層は該第１の基板と該第２の基板との間に挟まれていることを特徴とする請求項２に記載の偏光板構造。
【請求項４】
前記液晶ディスプレイは、前記偏光板の前記第４の面との間に第２の絶縁フィルムを配置していることを特徴とする請求項２に記載の偏光板構造。
【請求項５】
前記タッチセンサーは、ＩＴＯ、ＡＴＯまたはＩＺＯ薄膜であることを特徴とする請求項１に記載の偏光板構造。
【請求項６】
前記第１の絶縁フィルムおよび前記第２の絶縁フィルムは、ＯＣＡまたはＯＣＲであることを特徴とする請求項４に記載の偏光板構造。
【請求項７】
前記透明基板は、ガラス、ＰＥＴ、ＰＣ、ＰＥ、ＰＶＣ、ＰＰ、ＰＳ、ＰＭＭＡおよびＣＯＣのうちのいずれかの材料であることを特徴とする請求項１に記載の偏光板構造。
【請求項８】
前記タッチセンサーは、前記フレキシブルプリント基板をその辺縁に貼り合わせて接続していることを特徴とする請求項１に記載の偏光板構造。
【請求項９】
前記タッチセンサーは、前記フレキシブルプリント基板との間に前記第１の絶縁フィルムを配置していることを特徴とする請求項８に記載の偏光板構造。
【請求項１０】
前記第１の絶縁フィルムは、前記タッチセンサーおよび前記フレキシブルプリント基板を覆っていることを特徴とする請求項８に記載の偏光板構造。
【請求項１１】
前記液晶ディスプレイは、前記第２の基板上の前記液晶層と反対の面に下部偏光板をさらに配置していることを特徴とする請求項３に記載の偏光板構造。
【考案の詳細な説明】
【技術分野】
【０００１】
本考案は、偏光板構造に関し、特に、液晶ディスプレイに用いられて製造コストを低下させ、歩留率を向上させる偏光板構造に関する。
【背景技術】
【０００２】
ＰＤＡ、パームサイズＰＣ、情報家電などの電子機器は、ディスプレイにタッチパネルが用いられることが多い。ディスプレイでは、タッチパネルによりアイコンおよび文字が表示される。指やタッチペンなどの導電物により、タッチパネル上に表示されたアイコンおよび文字が選択されると、入力および操作が行われる。タッチパネルは、操作を人のより自然な行為とする重要な役割を担うものである。
【０００３】
タッチパネルは、一体化方式による設計が主要であるが、ディスプレイ上で直接タッチコントロールを行うのがその目的である。一体化技術は、主にインセルおよびオンセルの二方式に分けることができる。オンセル方式は、投影型静電容量方式のＸ軸センサーおよびＹ軸センサーをカラーフィルターの裏側に形成するものである。
【０００４】
インセル方式は、Ｘ軸センサーおよびＹ軸センサーを液晶ディスプレイセルに組み込む技術である。つまり、タッチセンサーデバイスをディスプレイのガラス基板内に整合させ、ディスプレイ自体にタッチコントロール機能を持たせる技術である。これにより、単一のタッチパネルに貼り合せたり、組み合わせる必要がなくなった。
【０００５】
インセル方式またはオンセル方式でも液晶ディスプレイの上下ガラス基板のどちらかに複数のタッチセンサー（Ｘ軸センサーおよびＹ軸センサー）を設けなければならなかった。このことは、コストを増加させるだけでなく、Ｘ軸センサーとＹ軸センサーとの間に配線を形成するため、複数のフォトリソグラフィ工程が必要になり、製造工程を増加させることとなった。その上、歩留率も悪く、製造コストが高くなった。以上のように、従来のタッチパネルには、二つの短所があった。１、歩留率が悪かった。２、製造コストが高かった。本考案は、この二つの短所を改善するものである。
【先行技術文献】
【特許文献】
【０００６】
【特許文献１】特開２００３−２８８１６５号公報
【考案の概要】
【考案が解決しようとする課題】
【０００７】
本考案の目的は、製造コストを低下させ、歩留率を向上させる偏光板構造を提供することにある。
【課題を解決するための手段】
【０００８】
上述の目的を達成するため、本考案は、偏光板構造を提供する。本考案の偏光板構造は、透明基板、タッチセンサー、偏光板および第１の絶縁フィルムから構成する。透明基板は、タッチ操作を行う第１の面、および第１の面の反対側にある第２の面を有する。タッチセンサーは、透明基板の第２の面上に配置されている。偏光板は、第３の面、および第３の面の反対側にある第４の面を有する。第１の絶縁フィルムは、タッチセンサーと偏光板との間に配置されている。タッチセンサーを有する偏光板が液晶ディスプレイ上に設けられた構造により、液晶ディスプレイがタッチ入力および操作機能を有する。
【考案の効果】
【０００９】
本考案の偏光板構造は、タッチセンサーを有する偏光板が液晶ディスプレイ上に設けられている構造により、液晶ディスプレイがタッチ入力および操作を有し、製造コストの削減および歩留率の向上を実現させることができる。
【図面の簡単な説明】
【００１０】
【図１】本考案の第１の実施形態による偏光板構造を示す斜視図である。
【図２】本考案の第１の実施形態による偏光板構造を示す断面図である。
【図３】本考案の第２の実施形態による偏光板構造を示す斜視図である。
【図４】本考案の第２の実施形態による偏光板構造を示す断面図である。
【考案を実施するための形態】
【００１１】
以下、本考案の実施形態を図面に基づいて説明する。
【００１２】
図１および図２を参照する。図１は、本考案の第１の実施形態による偏光板構造を示す斜視図である。図２は、本考案の第１の実施形態による偏光板構造を示す断面図である。図１および図２に示すように、本考案の偏光板構造１は、透明基板２、タッチセンサー３、偏光板４および第１の絶縁フィルム５を有する。透明基板２は、ＰＥＴが材料であることが好適だが、これに限定されるものではない。例えば、ガラス、ＰＣ、ＰＥ、ＰＶＣ、ＰＰ、ＰＳ、ＰＭＭＡ、ＣＯＣのうちの一つを選択することもできる。
【００１３】
透明基板２は、第１の面２１、および第１の面２１の反対側にある第２の面２２を有する。タッチセンサー３は、第２の面２２に配置され、ＩＴＯ、ＡＴＯまたはＩＺＯ薄膜を材料としている。
また、タッチセンサー３は、好適な実施例において、スパッタにより第２の面２２上に形成されるが、これに限定されるものではない。ゲルの塗布、電気鍍金または蒸着を選択して第２の面２２上に形成してもよい。タッチセンサー３は、フレキシブルプリント基板３１を辺縁に貼り合わせている。フレキシブルプリント基板３１とタッチセンサー３との間に導電フィルム３２が配置されている。本実施形態において、導電フィルム３２は、ＡＣＦである。フレキシブルプリント基板３１は、一方の端部が導電フィルム３２上のタッチセンサー３と反対の面に貼設されている。これにより、フレキシブルプリント基板３１は、一方の端部が導電フィルム３２を介してタッチセンサー３と電気的に接続する。
【００１４】
偏光板４は、第３の面４１、および第３の面４１の反対側にある第４の面４２を有する。第３の面４１は、タッチセンサー３およびフレキシブルプリント基板３１に対応するように貼り合わされている。偏光板４の第３の面４１と、タッチセンサー３と、フレキシブルプリント基板３１との間に第１の絶縁フィルム５が配置されている。第１の絶縁フィルム５は、ＯＣＡまたはＯＣＲである。
【００１５】
図３および図４を参照する。図３は、本考案の第２の実施形態による偏光板構造を示す斜視図である。図４は、本考案の第２の実施形態による偏光板構造を示す断面図である。図３および図４に示すように、本考案の偏光板構造１は、液晶ディスプレイ７上に設けられている。
液晶ディスプレイ７は、第１の基板７１、第２の基板７２、液晶層７３および下部偏光板７４を有する。液晶層７３は、第１の基板７１と第２の基板７２との間に挟まれている。下部偏光板７４は、第２の基板７２上の液晶層７３と反対の面に配置されている。
液晶ディスプレイ７は、偏光板構造１の偏光板４の第４の面４２に貼り合わされている。液晶ディスプレイ７と偏光板４の第４の面４２との間に第２の絶縁フィルム６が配置されている。第２の絶縁フィルム６は、ＯＣＡまたはＯＣＲである。これにより、タッチセンサー３を有する偏光板４が液晶ディスプレイ７上に設けられた構造により、液晶ディスプレイ７に対するタッチ入力および操作を行う。また、これらの構成により製造コストの削減および歩留率の向上を実現させることができる。
【００１６】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１７】
１  偏光板構造
２  透明基板
３  タッチセンサー
４  偏光板
５  第１の絶縁フィルム
６  第２の絶縁フィルム
７  液晶ディスプレイ
２１  第１の面
２２  第２の面
３１  フレキシブルプリント基板
３２  導電フィルム
４１  第３の面
４２  第４の面
７１  第１の基板
７２  第２の基板
７３  液晶層
７４  下部偏光板
【図１】
0003182477.tif 000003
【図２】
0003182477.tif 000004
【図３】
0003182477.tif 000005
【図４】
0003182477.tif 000006